(57)【要約】【課題】  搬送時にコンテナが上下に振動したり、左右に揺れたり傾いたりしたときでも、衣服を吊持したときでも、ハンガーが外れたり、移動することのない衣類搬送用折り畳みコンテナを提供できるようにすることを目的とする。【解決手段】  ハンガーに吊持した衣服等を収納部に収納して搬送するための折り畳み可能な箱状コンテナの収納部の天井部近傍にハンガー掛止用横桟部材を設け、横桟部材に掛止したハンガーのフックを固定する固定手段を備えてなり、横桟部材と天井部下面との間に挿入される固定具本体と、該固定具本体の下面にフックを押圧して固定する弾性部材を備えるとともに、固定具の上面には固定具本体を天井部下面に保持する磁力式吸着部材を設けて構成した。【選択図】図８
2006213355.tif 000002
【特許請求の範囲】
【請求項１】
ハンガーに吊持した衣服等を収納部に収納して搬送するための折り畳み可能な箱状コンテナであって、収納部の天井部近傍にハンガー掛止用横桟部材を設け、横桟部材に掛止したハンガーのフックを固定する固定手段を備えてなり、横桟部材と天井部下面との間に挿入される固定具本体と、該固定具本体の下面にフックを押圧して固定する弾性部材を備えるとともに、固定具の上面には固定具本体を天井部下面に保持する磁力式吸着部材を設けて固定手段を形成したことを特徴とする衣類搬送用折り畳みコンテナ。
【請求項２】
弾性部材に対応する固定具本体の上面とこれに対応する天井部の下面の少なくとも一方に磁石を、他方に前記磁石に吸着する磁石若しくは金属を設けて磁力式吸着部材を形成したことを特徴とする請求項１に記載の衣類搬送用折り畳みコンテナ。
【発明の詳細な説明】
【技術分野】
【０００１】
本発明は衣類搬送用折り畳みコンテナに関するものである。
【背景技術】
【０００２】
スーツやワンピース等の衣類を搬送する場合、従来では１着づつ透明なフィルム製袋に入れた状態で折り畳み、箱詰めして搬送するようにしていた。
ところが、こうした搬送の方法では折皺がつき、店頭に陳列したときにこの折皺のために商品の価値が半減してしまうという問題があった。こうした問題は、特に高級な衣類で顕著である。
そこで、こうした問題に対処するために、縫製後若しくは仕上げ加工された状態の衣類をハンガーに吊持し、そのハンガーをそのまま折り畳み式のコンテナに収納して搬送するようにしたものがある（例えば特許文献１）。
この公報に記載された衣類搬送用折り畳みコンテナは、枠状に形成されたコンテナ本体内部にハンガーのフック部分を掛止するハンガーパイプを対面する側壁間に亘って設け、洋服等の衣類を吊持したフックをハンガーパイプに掛止させ、コンテナの下面に配設された車輪によりコンテナ本体ごと移動させるようにしたものである。
【０００３】
【特許文献１】特開２００３−２１２２９１
【発明の開示】
【発明が解決しようとする課題】
【０００４】
上記公報に記載された衣類搬送用折り畳みコンテナでは、これを手押しで運んだり、車等に搭載して搬送したりするときに、コンテナが上下に震動すると、フックがハンガーパイプから外れ落ちてしまい、汚れたり、折皺がついたりしてしまうという問題があった。
【０００５】
また、コンテナが搬送中にカーブ等で左右に揺れたり傾いたりすると、ハンガーのフックがハンガーパイプを滑って移動し、衣類が偏ってしまい、皺がよったり、癖がついたりしてしまうという問題もあった。
本発明は上記問題点に鑑み提案されたもので、搬送時にコンテナが上下に振動したり、左右に揺れたり傾いたりしたときでも、衣服を吊持したときでも、ハンガーが外れたり、移動することのない衣類搬送用折り畳みコンテナを提供できるようにすることを目的とするものである。
【課題を解決するための手段】
【０００６】
上記目的を達成するために本発明にかかる衣類搬送用折り畳みコンテナは、ハンガーに吊持した衣類等を収納部に収納して搬送するための折り畳み可能な箱状コンテナであって、収納部の天井部近傍にハンガー掛止用横桟部材を設け、横桟部材に掛止したハンガーのフックを固定する固定手段を備えてなり、横桟部材と天井部下面との間に挿入される固定具本体と、該固定具本体の下面にフックを押圧して固定する弾性部材を備えるとともに、固定具の上面には固定具本体を天井部下面に保持する磁力式吸着部材を設けて固定手段を形成したことを最も主要な特徴とするものである。
【０００７】
また、本発明にかかる衣類搬送用折り畳みコンテナでは、弾性部材に対応する固定具本体の上面と、これに対応する天井部の下面の少なくとも一方に磁石を、他方に前記磁石に吸着する磁石若しくは金属を設けて磁力式吸着部材を形成したことも特徴とするものである。
【発明の効果】
【０００８】
本発明の衣類搬送用折り畳みコンテナによれば、折り畳み可能な箱状コンテナの収納部の天井部近傍にハンガー掛止用横桟部材を設け、横桟部材に掛止したハンガーのフックを固定手段で固定するようにしてあるので、衣類搬送用折り畳みコンテナを手押しで運んだり、車等に搭載して搬送するときに、コンテナが上下に震動したり傾いたりした時でも、固定手段がフックを確りと固定するので、従来のようにフックがハンガーパイプから外れ落ちてしまうことがない。
これにより、衣類を吊持したハンバーが落下することによる衣類の汚れや折皺がついたりしてしまうのを防止でき、商品価値の低下をなくすことができるという利点がある。
【０００９】
また、固定手段が、箱状コンテナの収納部の横桟部材と天井部下面との間に挿入される固定具本体と、該固定具本体の下面にフックを押圧して固定する弾性部材を備え、固定具の上面には固定具本体を天井部下面に固定する磁力式吸着部材を設けて構成するようにしてあるので、構造が簡単で、安価に実施することが出来るという利点もある。
【発明を実施するための最良の形態】
【００１０】
以下、本発明にかかる衣類搬送用折り畳みコンテナの好ましい実施の形態を図面に基づいて説明する。
【実施例】
【００１１】
図１は衣類搬送用折り畳みコンテナの開扉状態の全体斜視図、図２はその正面図であって、図中符号１は衣類搬送用折り畳みコンテナを全体的に示す。
この衣類搬送用折り畳みコンテナ１は、箱状に形成されたコンテナ本体２と、コンテナ本体２に収納されたハンガー３を固定する固定手段（図７参照）４とを備えてなる。
コンテナ本体２は、四囲の前後の５a・５b、左右の側壁５ｃ・５ｄ、天井部を形成する天板６及び底部を形成する底板７のそれぞれを、空間を設けて二枚の合成樹脂製板材を対峙させ、両合成樹脂板間を補強板材で連結した構造の合成樹脂製軽量板材で形成するとともに、前面の開口部分８は四隅に補強部材９を設けた保形枠１０で補強されており、内部に衣類等の収納部１１が形成されている。
【００１２】
上記開口部分８を開閉する扉１２は、コンテナ本体２の右側の角部となる薄肉ヒンジ部１３を介して右側の側壁５ｄから一連に形成された前側の側壁５ａで形成されており、その遊端部は左側の側壁部分５ｃに回り込むように折り曲げられ、この折り曲げられた部分１４の上下二箇所に、左側の側壁５ｃに配設された面状ファスナ片１５・１６の前側の面状ファスナ片１５と協働して扉１２を閉止状に保持する帯状の面状ファスナ片１７を延出させてある。
左右の各側壁５ｃ・５ｄはその前後幅の中間部分に１本の薄肉ヒンジ部１８を形成して当該左右の各側壁５ｃ・５ｄを内側に折りたたみ可能にしてあり、上記面状ファスナ片１６は右側壁５ｄにも同様に形成してある。
尚、符号２０は手提げ用の手挿入口である。
【００１３】
上記天板及び底板７のそれぞれは、図３に示すように、前記保形枠１０に連結された部分を回動中心としてコンテナ本体２の内方側に折り込み可能となっている。即ち、天板６の遊端部は下方に、底板７の遊端部は上方にそれぞれ折り曲げられ、この各折曲げ片２１・２２はコンテナ本体２が組み立てられた時に、後側の側壁５ｂに形成された受け部２３に各折曲げ片２１・２２の端部が受け止められるようになっている（図４及び図８参照）。
尚、図中符号３０は、天板６の遊端部並びに底板７の遊端部の各折曲げ片２１・２２の端部に形成された半円状の切り欠きであって、コンテナ本体２を折り畳むときに指を差し入れるためのものである。
したがって、この半円状に切り欠き３０は、各折曲げ片２１・２２の端部が受け止められる後側の側壁５ｂの受け部２３に形成することもできる。
また、図中符号３１は、後側の側壁５ｂの上端部を前側に折り曲げて天板６を受け止める天板規制片、符号３２は、後側の側壁５ｂの下端部を前側に折り曲げて底板７を受け止める底部規制片である。
【００１４】
そして、収納部１１の上部には衣類３４を吊るしたハンガー３のフック３３を掛止するハンガー掛止用横桟部材３５が設けられている。
ハンガー掛止用横桟部材３５は、ステンレス等の不銹性の金属パイプを収納部１１の左右のそ奇癖５ｃ・５ｄと略同じ長さにして形成されており、その両端近傍部を天板６部分から折り下げた支持片３６の長孔３７に支持させてある。
この長孔３７は、コンテナ本体２を折り畳んだときに、図４に示すように支持片３６を天板６側に揺動させてコンテナ本体２をコンパクトに折り畳めるようにするためである。
また、図中符号３９は後述する固定手段４の固定具本体４０に設けられる磁石４１に吸着される矩形の金属プレートである
【００１５】
ハンガー掛止用横桟部材３５に掛止したハンガー３のフック３３を固定する固定手段４は、図７に示すように、ダイヤ形の枠４２の中に縦桟４３ａと横桟４３ｂとからなる十字形桟材４３を一体に形成した固定具本体４４を形成し、固定具本体４４の手前側（図上右側）に操作部４６を形成するとともに、十字の横桟部分４３ｂの上面に、上記天板６の下面に取り付けられた金属プレート３９に吸着する矩形の磁石４５を配設し、固定具本体の横桟材４３ｂの下面に厚みのある弾性部材４７を取り付けて形成されている。
固定具本体４４の素材は、コンテナ本体２の側壁と同様、空間を設けて二枚の合成樹脂製板材を対峙させ、両合成樹脂板間を補強板材で連結した構造の合成樹脂製軽量板材で形成されている。
また、上記弾性部材４７はスポンジや軟質合成樹脂を独立発泡させたものや軟質ゴム等を用いることができる。
尚、上記固定手段４の横桟部分４３ｂに取り付けられた矩形の磁石４５は、上記天板６の下面に取り付けられた金属プレート３９が磁石である場合は、これに吸着されるような金属プレートにすることができる。
【００１６】
上記のように形成された衣類搬送用折り畳みコンテナ１を使用する手順を次に説明する。
先ず、コンテナ本体２を後述する折り畳む手順とは逆の手順で箱状に組み立てる。
この箱状に組み立てられたコンテナ本体２にスーツなどの衣類３４を吊持したハンガー３を、収納する場合、予め固定手段４を収納部１１から取り出しておく。
そして、開口部８からスーツなどの衣類３４を吊持したハンガー３を収納部に差し入れてハンガー３のフック３３をハンガー掛止用横桟部材３５に掛止させる。
しかる後、ハンガー掛止用横桟部材３５と天板６との隙間に固定手段４の固定具本体４４を開口部８から差し入れ、固定具本体４４の磁石４５を天板６の下面の金属プレート３９に吸着させると、図８に示すように固定具本体４４の下面の弾性部材４７がフック３３の上面部分を確りと押さえた状態で、固定手段４が固定される。
扉１２を閉じ、扉１２の帯状の面状ファスナ片１７と左側の側壁部分５ｃの前側の面状ファスナ片１５とを接合させて扉１２を固定すると、衣類搬送用折り畳みコンテナ１の収納部１１への衣類３４の収納作業が完了する。
【００１７】
斯くして収納部１１に収納されたハンガー３は、固定手段４の弾性部材４７がフック３３をその上方から押さえて固定しているので、搬送時に振動で、衣類搬送用折り畳みコンテナ１が上下に振動しても、ハンガー３のフック３３がハンガー掛止用横桟部材３５から外れて落ちたり、衣類搬送用折り畳みコンテナ１が傾いたり、カーブ等で遠心力が作用したときでもハンガー３のフック３３がハンガー掛止用横桟部材３５を横滑りしたりするのが防止される。
【００１８】
次に、衣類搬送用折り畳みコンテナ１の収納部１１から衣類３４を取り出す場合は、固定具本体４４の操作部４６に指を入れて固定具本体４４を収納部１１外に引き出す。
すると、これまで弾性部材４７で押さえられていたフック３３はその上部が開放された状態になるので、ハンガー掛止用横桟部材３５から簡単にフック３３を外して衣類３４を取り出すことができる。
そして、衣類搬送用折り畳みコンテナ１の使用後、返送したりするために折り畳む場合は、天板６と底板７の各折曲げ片２１・２２の端部に形成された半円状の切り欠き３０・に指を差し入れて後側の側壁５ｂに形成された受け部２３との掛合を外し、図３に示すように、天板６は下方に押し下げ、底板７は上方に跳ねあげる。
次に図４に示すように、左右の各側壁５ｃ・５ｄを薄肉部分１８で内方に折り曲げて前後の幅を縮め、固定手段４を内部の空間に入れた後、各側壁５ｃ・５ｄを面状ファスナ片１６・１６同士を掛合させるとともに、図５に示すように、扉１２の帯状の面状ファスナ片１７と側壁部分の後側の面状ファスナ片２６とを接合させると、衣類搬送用折り畳みコンテナ１はコンパクトに折り畳める。
【００１９】
尚、上記実施の形態ではコンテナ本体２及び固定具本体４４を形成する素材を空間を設けて二枚の合成樹脂製板材を対峙させ、両合成樹脂板間を補強板材で連結した構造の合成樹脂製軽量板材で形成するようにしてあるが、こうしたものに限られず他の板状部材で形成することができるが、その場合軽量であることが望ましい。
【図面の簡単な説明】
【００２０】
【図１】は衣類搬送用折り畳みコンテナを開扉した状態の斜視図である。
【図２】は衣類搬送用折り畳みコンテナを開扉した状態の正面図である。
【図３】は衣類搬送用折り畳みコンテナを折り畳む手順を示す斜視図である。
【図４】は衣類搬送用折り畳みコンテナを折り畳む手順を示す斜視図である。
【図５】は衣類搬送用折り畳みコンテナを折り畳んだ状態の斜視図である。
【図６】は衣類搬送用折り畳みコンテナのハンガー掛止用横桟部材部分の斜視図である。
【図７】は固定手段の斜視図である。
【図８】は衣類搬送用折り畳みコンテナに衣類を挟持したハンガーを収納した状態の縦          断側面図である。
【符号の説明】
【００２１】
１・・・衣類搬送用折り畳みコンテナ
３・・・ハンガー
４・・・固定手段
６・・・天井部（天板）
１１・・・衣類
３３・・・フック
３５・・・ハンガー掛止用横桟部材
３９・４５・・・磁力式吸着部材
【図１】
2006213355.tif 000003
【図２】
2006213355.tif 000004
【図３】
2006213355.tif 000005
【図４】
2006213355.tif 000006
【図５】
2006213355.tif 000007
【図６】
2006213355.tif 000008
【図７】
2006213355.tif 000009
【図８】
2006213355.tif 000010